(57)【要約】【課題】従来の衣服の装飾物とは全く構成が異なる斬新な印象を見る者に与えることができる衣服の装飾物を提供することを課題とする。【解決手段】衣服の本体１０に配設されているポケット２０は、表地２０ａと裏地２０ｂの２枚の布地からなる服地によって形成されている。このポケット２０の周縁部２０ａ〜２０ｄは本体１０に縫い糸によって縫い付けられている。３０は表地２０ａのみを切断する切断線である。この切断線３０からあらかじめ定められた距離だけ離れた所に位置するように、表地２０ａと裏地２０ｂとを縫い糸によって縫い合わせた縫い目３１が形成されている。切断線３０は、表地２０ａと裏地２０ｂとを縫い合わせた縫い目によって包囲されている。切断線３０と縫い目３１との間の表地２０ａの織糸がほつれて装飾物の図柄を形成する。【選択図】図１
2010255144.tif 000002
【特許請求の範囲】
【請求項１】
表地と裏地とを有する服地によって構成される衣服の装飾物であって、
前記表地には、切断線によって前記装飾物の図柄の線図が形成され、
当該図柄の線図を形成するそれぞれの前記切断線は、前記表地と前記裏地とを縫い合わせた縫糸によって形成され且つ前記切断線からあらかじめ定められた距離だけ離れた位置に形成された縫い目によって包囲されていることを特徴とする衣服の装飾物。
【請求項２】
前記切断線は、所定幅を有する帯状の切断線であることを特徴とする請求項１に記載の衣服の装飾物。
【請求項３】
前記衣服の装飾物には「洗い加工」が施され、前記切断線と前記縫い目との間に存在する前記表地の織糸は解れた状態となっていることを特徴とする請求項１または請求項２に記載の衣服の装飾物。
【発明の詳細な説明】
【技術分野】
【０００１】
本発明は、ジャケットやパンツ等の衣服に配設される衣服の装飾物に関するものである。
【背景技術】
【０００２】
従来から、ジャケットやパンツ等の表面に刺繍などによって装飾を施すことは広く行なわれている。
【０００３】
図７は、装飾を施されたポケット２０を有するジーンズのパンツ本体１０の構成を示した図であり、図８はポケットの装飾の構成を示した平面図である。
【０００４】
図８において、ポケット２０の周縁部２１のうち、周縁部２１ａ〜２１ｄは縫い糸によってジーンズのパンツ本体１０に縫い付けられており、周縁部２１ｅは縫い付けられないで開口部を形成している。
【０００５】
４０，４１は刺繍糸によって形成された装飾用の刺繍である。
【０００６】
２２は、ポケット２０を構成する服地の周端部を処理するために縫い糸によって形成された縫い目である。ここで、ジーンズのパンツの場合、この縫い目２２を形成する縫い糸の色を服地の色とは別の色にすることにより、例えばジーンズのパンツの色がブルーのときには縫い糸の色をイエローにすることにより、この縫い目２２自体を装飾用ステッチとして用いる場合もある。
【０００７】
さらに、ジーンズの衣服の場合には、洗濯などをすることにより、衣服全体の服地の色をわざと脱色するという装飾方法もある。
【発明の概要】
【発明が解決しようとする課題】
【０００８】
このように、ジーンズの衣服に限らず、従来の衣服の装飾物は、刺繍や色糸によるステッチや脱色等の長年用いられた方法によって形成された装飾物であるために、人目を引くという斬新な装飾効果をあまり得ることができなかった。
【課題を解決するための手段】
【０００９】
以上の問題を解消するために、本発明は、表地と裏地とを有する服地によって構成される衣服の装飾物であって、前記表地には、切断線によって前記装飾物の図柄の線図が形成され、当該図柄の線図を形成するそれぞれの前記切断線は、前記表地と前記裏地とを縫い合わせた縫糸によって形成され且つ前記切断線からあらかじめ定められた距離だけ離れた位置に形成された縫い目によって包囲されていることを特徴とするものである。ここで、前記切断線は、所定幅を有する帯状の切断線であってもよい。また、前記衣服の装飾物には「洗い加工」が施され、前記切断線と前記縫い目との間に存在する前記表地の織糸は解れた状態となっていてもよい。
【発明の効果】
【００１０】
本発明によれば、従来の衣服の装飾物とは全く構成が異なる斬新な印象を見る者に与えることができる衣服の装飾物を提供することができる。
【図面の簡単な説明】
【００１１】
【図１】本発明の実施例１の構成を示す構成図である。
【図２】本発明の実施例１の説明図である。
【図３】本発明の実施例１の説明図である。
【図４】本発明の実施例１の他の構成を示す構成図である。
【図５】本発明の実施例１の他の構成の説明図である。
【図６】本発明の実施例１の他の構成を示す構成図である。
【図７】従来の衣服の装飾物の説明図である。
【図８】従来の衣服の装飾物の説明図である。
【発明を実施するための形態】
【００１２】
以下、図面を用いて本発明の実施例を説明する。
【実施例１】
【００１３】
図１は、本発明の実施例１の構成を示した構成図であり、図１（ａ）は平面構成を示した平面図、図１（ｂ）はそのＡ−Ａ断面図である。
【００１４】
図１（ａ），（ｂ）において、図８に示した従来例と同一符号のものは同一のものを示しているので、その説明は省略する。
【００１５】
図１（ａ），（ｂ）に示した本実施例１が図８に示した従来例と異なるところは、本実施例１には、切断線３０と縫い糸による縫い目３１とが設けられていることである。
【００１６】
なお、本実施例１においては、図１（ｂ）に示したように、ポケット２０を構成する服地は表地２０ａと裏地２０ｂとの２枚の布地によって構成されている。
【００１７】
切断線３０は表地２０ａのみを切断している切断線であり、この切断線３０の線図によって本実施例１に係る装飾物の図柄が形成されている。
【００１８】
縫い目３１は、表地２０ａと裏地２０ｂとを縫い糸によって縫い合わせた結果として形成された縫い目である。この縫い目３１は、それぞれの切断線３０からあらかじめ定められた距離だけ離れた位置に形成されている。
【００１９】
このように、本実施例１においては、装飾物の図柄を形成する切断線３０が、縫い目３１と、ポケット２０を構成する服地の周縁部２１ａ〜２１ｄをパンツ本体１０に縫い付けた縫い糸によって形成される縫い目とによって包囲されている構成となっている。
【００２０】
以上のように構成された本実施例１に係る衣服の装飾物においては、その衣服の使用期間が長くなったり、またはその衣服を洗濯したりした場合、切断線３０と縫い目３１との間に存在する表地２０ａを形成する織糸が解れて図２に示したような状態になる。即ち、表地２０ａのほつれた織糸によって装飾物の図柄が形成されることになる。
【００２１】
このような状態になったポケット２０を有するパンツ本体１０の状態を図３に示す。
【００２２】
図３に示したように、本実施例１に係る装飾物は、刺繍４０や装飾用ステッチ２２とは、全く異なる印象を見る者に与えることができる。
【００２３】
すなわち、本実施例１によれば、切断線３０と縫い目３１とからなる簡単な構成で、表地２０ａのほつれた織糸の連なりにより構成された図柄の装飾物という、従来にない斬新なデザインの衣服の装飾物を得ることができる。
【００２４】
なお、本実施例１に係る装飾物が設けられている衣服を製造した後に、予め洗濯してから商品として出荷するという所謂「洗い加工」を施せば、ほつれた織糸の連なりにより構成された図柄の装飾物を有する衣服を商品として消費者に提供することができる。
【００２５】
また、本実施例１に係る装飾物が設けられている衣服の一部であるポケット２０には、表地２０ａと裏地２０ｂという２枚の布地からなる服地が用いられているが、本実施例１に係る装飾物が設けられていないパンツ本体１０の他の部分は１枚の布地からなる服地で構成されていても本実施例１の効果には何ら影響がない。
【００２６】
ここで、切断線３０は、図４に示したように、所定幅を有する帯状の切断線としてもよい。
【００２７】
図４に示したように、切断線３０と縫い目３１との距離を狭くした場合には、表地２０ａを形成する織糸の解れる部分が狭くなり、その結果として図５に示した装飾物のように、図２に示した装飾物とは異なる印象を見る者に与えることができる。
【００２８】
さらに、この切断線３０は、図６に示すように、一定の幅の振幅を有する細かい波状の切断線３０としてもよい。
【符号の説明】
【００２９】
１０  パンツ本体
２０  ポケット
２０ａ  表地
２０ｂ  裏地
２１，２１ａ〜２１ｅ  周縁部
２２  縫い目（装飾用ステッチ）
３０  切断線
３１  縫い目
４０  刺繍
【図１】
2010255144.tif 000003
【図２】
2010255144.tif 000004
【図３】
2010255144.tif 000005
【図４】
2010255144.tif 000006
【図５】
2010255144.tif 000007
【図６】
2010255144.tif 000008
【図７】
2010255144.tif 000009
【図８】
2010255144.tif 000010